(57)【要約】【課題】本発明は、フラットケーブルを使用せずに、ハード及び光ディスクドライブをマザーボードと接続することができるアダプタボード、モジュラー転送インターフェイス及びそれを備えたコンピュータ装置を提供する。【解決手段】マザーボード２２に設けられ、電源ポート２２１及びサウスブリッジ２２２と電気的に接続しているスロットコネクタ３１と接続できるアダプタボード３２、３２ａであって、ボード体に、メイティングコネクタ３２２と、光ディスクドライブコネクタ３２４と、ハードディスクコネクタ３２３とを設けてなるアダプタボード３２及びそれを備えたモジュラー転送インターフェイス３を有するコンピュータ装置である。【選択図】図１
2007280353.tif 000002
【特許請求の範囲】
【請求項１】
電源ポートとサウスブリッジとを備えたコンピュータのマザーボードに設けられて、前記電源ポート及び前記サウスブリッジと電気的に接続しているスロットコネクタに接続できるアダプタボードであって、
ボード体に、前記スロットコネクタに接続できるメイティングコネクタと、前記メイティングコネクタと電気的に接続していて光ディスクドライブと接続できる光ディスクドライブコネクタと、前記メイティングコネクタと電気的に接続していてハードディスクと接続できるハードディスクコネクタとを設けられた、アダプタボード。
【請求項２】
前記ボード体は、矩形の回路板であり、前記メイティングコネクタは、該ボード体の底部に配置されることを特徴とする、前記請求項１に記載のアダプタボード。
【請求項３】
前記ボード体は、その底部から下方へ延伸し前記スロットコネクタと対応するタブを有し、前記メイティングコネクタは、前記タブの表面に並列配置されている複数の導電性部材を有していることを特徴とする、前記請求項２に記載のアダプタボード。
【請求項４】
前記ボード体の底部には、更に下方へ延伸し前記スロットコネクタと対応して前記タブの両側に配置されているサポータを有していることを特徴とする、前記請求項３に記載のアダプタボード。
【請求項５】
前記ハードディスクコネクタは、シリアルＡＴＡ規格のコネクタであることを特徴とする、前記請求項１に記載のアダプタボード。
【請求項６】
前記ハードディスクコネクタは、ＩＤＥ規格のコネクタであることを特徴とする、前記請求項１に記載のアダプタボード。
【請求項７】
前記光ディスクドライブコネクタは、ＩＤＥ規格のコネクタであることを特徴とする、前記請求項１に記載のアダプタボード。
【請求項８】
電源ポートとサウスブリッジとを備えたコンピュータのマザーボードに設けられるモジュラー転送インターフェイスであって、
前記マザーボードに設けられ、前記電源ポート及び前記サウスブリッジと電気的に接続しているスロットコネクタと、
ボード体に、前記スロットコネクタに接続できるメイティングコネクタと、前記メイティングコネクタと電気的に接続していて光ディスクドライブと接続できる光ディスクドライブコネクタと、前記メイティングコネクタと電気的に接続していてハードディスクと接続できるハードディスクコネクタとを設けてなるアダプタボードとを設けられた、モジュラー転送インターフェイス。
【請求項９】
前記ボード体は、矩形の回路板であり、前記メイティングコネクタは、該ボード体の底部に配置されることを特徴とする、前記請求項８に記載のモジュラー転送インターフェイス。
【請求項１０】
前記ボード体は、その底部から下方へ延伸し前記スロットコネクタと対応するタブを有し、前記メイティングコネクタは、前記タブの表面に並列配置されている複数の導電性部材を有していることを特徴とする、前記請求項９に記載のモジュラー転送インターフェイス。
【請求項１１】
前記ボード体の底部には、更に下方へ延伸し前記スロットコネクタと対応して前記タブの両側に配置されているサポータを有していることを特徴とする、前記請求項１０に記載のモジュラー転送インターフェイス。
【請求項１２】
前記ハードディスクコネクタは、シリアルＡＴＡ規格のコネクタであることを特徴とする、前記請求項８に記載のモジュラー転送インターフェイス。
【請求項１３】
前記ハードディスクコネクタは、ＩＤＥ規格のコネクタであることを特徴とする、前記請求項８に記載のモジュラー転送インターフェイス。
【請求項１４】
前記光ディスクドライブコネクタは、ＩＤＥ規格のコネクタであることを特徴とする、前記請求項８に記載のモジュラー転送インターフェイス。
【請求項１５】
電源ポートとサウスブリッジとを備えたコンピュータのマザーボードと、
ハードディスクと、
光ディスクドライブと、
前記マザーボードに設けられ、前記電源ポート及び前記サウスブリッジと電気的に接続しているスロットコネクタ及びボード体に、前記スロットコネクタに接続できるメイティングコネクタと、前記メイティングコネクタと電気的に接続していて光ディスクドライブと接続できる光ディスクドライブコネクタと、前記メイティングコネクタと電気的に接続していてハードディスクと接続できるハードディスクコネクタとを設けてなるアダプタボードからなるモジュラー転送インターフェイスと、
を有するコンピュータ装置。
【請求項１６】
前記ボード体は、矩形の回路板であり、前記メイティングコネクタは、該ボード体の底部に配置されることを特徴とする、前記請求項１５に記載のコンピュータ装置。
【請求項１７】
前記ボード体は、その底部から下方へ延伸し前記スロットコネクタと対応するタブを有し、前記メイティングコネクタは、前記タブの表面に並列配置されている複数の導電性部材を有していることを特徴とする、前記請求項１６記載のコンピュータ装置。
【請求項１８】
前記ボード体の底部には、更に下方へ延伸し前記スロットコネクタと対応して前記タブの両側に配置されているサポータを有していることを特徴とする、前記請求項１７に記載のコンピュータ装置。
【請求項１９】
前記ハードディスクコネクタは、シリアルＡＴＡ規格のコネクタであることを特徴とする、前記請求項１５に記載のコンピュータ装置。
【請求項２０】
前記ハードディスクコネクタは、ＩＤＥ規格のコネクタであることを特徴とする、前記請求項１５に記載のコンピュータ装置。
【請求項２１】
前記光ディスクドライブコネクタは、ＩＤＥ規格のコネクタであることを特徴とする、前記請求項１５に記載のコンピュータ装置。
【発明の詳細な説明】
【技術分野】
【０００１】
本発明は、コンピュータ装置に関し、特に、ハードディスク及び光ディスクドライブとモジュール式の接続ができる、インターフェイスを備えたコンピュータ装置、モジュラー転送インターフェイス、そしてアダプタボードに関する。
【背景技術】
【０００２】
図１０に示すように、通常、ハードディスク１０をコンピュータ１００に取り付けるとき、ハードディスク１０をケース１１内に固定するだけでなく、ハードディスク１０とマザーボード１３との間をフラットケーブル１７で繋ぎ、また電源ユニット１５とハードディスク１０との間にも電源コード１４で繋ぐ必要がある。そして、光ディスクドライブ１６を取り付けるときも、同じくマザーボード１３と光ディスクドライブ１６との間をフラットケーブル１２で繋ぐ必要がある。
【発明の開示】
【発明が解決しようとする課題】
【０００３】
しかし、コンピュータの小型化において、ハウシング内における各パーツ間の余剰空間を削減するのが当然であるが、ハードディスクや光ディスクドライブなどの記録装置とマザーボードとの間を繋ぐフラットケーブルのコネクタをマザーボートやハードディスク、光ディスクドライブなどに取り付けるには、ハウシング内に作業を行うために必要な空間を空けておく必要があるので、フラットケーブルの存在がコンピュータ機器の小型化とパーツ取り付けの利便性を両立しにくくさせている。
【０００４】
従って、本発明は、コンピュータの小型化とパーツの取り付けの利便性の両立を図るため、フラットケーブルを使用せずにハードディスク及び光ディスクドライブをマザーボードと接続することができるアダプタボード及び該アダプタボードを備えたモジュラー転送インターフェイス、そして該モジュラー転送インターフェイスを備えたコンピュータ装置を提供することを目的とする。
【課題を解決するための手段】
【０００５】
上記目的を達成するために、本発明は、電源ポートとサウスブリッジとを備えたコンピュータのマザーボードに設けられ、前記電源ポート及び前記サウスブリッジと電気的に接続しているスロットコネクタに接続できるアダプタボードであって、ボード体に、前記スロットコネクタに接続できるメイティングコネクタと、前記メイティングコネクタと電気的に接続していて光ディスクドライブと接続できる光ディスクドライブコネクタと、前記メイティングコネクタと電気的に接続していてハードディスクと接続できるハードディスクコネクタとを設けられてなるアダプタボードを提供する。
【０００６】
上記アダプタボードにおいて、前記ボード体は矩形の回路板であり、前記メイティングコネクタは、該ボード体の底部に配置されることが好ましい。
上記アダプタボードにおいて、前記ボード体はその底部から下方へ延伸し前記スロットコネクタと対応するタブを有し、前記メイティングコネクタは、前記タブの表面に並列配置されている複数の導電性部材を有していることが好ましい。
上記アダプタボードにおいて、前記ボード体の底部には下方へ延伸し前記スロットコネクタと対応し前記タブの両側に配置されているサポータを更に有していることが好ましい。
上記アダプタボードにおいて、前記ハードディスクコネクタは、シリアルＡＴＡ（Ｓｅｒｉａｌ Ａｄｖａｎｃｅｄ Ｔｅｃｈｎｏｌｏｇｙ Ａｔｔａｃｈｍｅｎｔ）規格のコネクタ及びＩＤＥ（Ｉｎｔｅｇｒａｔｅｄ Ｄｒｉｖｅ Ｅｌｅｃｔｒｏｎｉｃｓ）規格のコネクタのいずれかを選択的に用いることができる。
上記アダプタボードにおいて、前記光ディスクドライブコネクタは、ＩＤＥ規格のコネクタを使用することができる。
【０００７】
また、本発明は、上記アダプタボードを備えたモジュラー転送インターフェイス、即ち、電源ポートとサウスブリッジとを備えたコンピュータのマザーボードに設けられるモジュラー転送インターフェイスであって、前記マザーボードに設けられ、前記電源ポート及び前記サウスブリッジと電気的に接続しているスロットコネクタと、ボード体に、前記スロットコネクタに接続できるメイティングコネクタと、前記メイティングコネクタと電気的に接続していて光ディスクドライブと接続できる光ディスクドライブコネクタと、前記メイティングコネクタと電気的に接続していてハードディスクと接続できるハードディスクコネクタとを設けてなるアダプタボードを設けられた、モジュラー転送インターフェイスをも提供する。
【０００８】
更に、本発明は、上記モジュラー転送インターフェイスを備えたコンピュータ装置、即ち、電源ポートとサウスブリッジとを備えたコンピュータのマザーボードとハードディスクと、光ディスクドライブと、前記マザーボードに設けられ、前記電源ポート及び前記サウスブリッジと電気的に接続しているスロットコネクタ及びボード体に、前記スロットコネクタに接続できるメイティングコネクタと、前記メイティングコネクタと電気的に接続していて前記光ディスクドライブと接続できる光ディスクドライブコネクタと、前記メイティングコネクタと電気的に接続していて前記ハードディスクと接続できるハードディスクコネクタとを設けてなるアダプタボードからなるモジュラー転送インターフェイス（３）と、を有するコンピュータ装置をも提供する。
【発明の効果】
【０００９】
上記構成によれば、本発明はフラットケーブルを使用せずに、ボード体であるアダプタボードを利用してハードディスク及び光ディスクドライブをハウシング内に取り付けると同時にマザーボードとの接続を達成できるので、コンピュータ装置のケース内の空間を有効に利用できる上、組み立て及び修理もより簡単に行うことができ、小型化とパーツ取り付けの利便性の両方を達成することができる。
【発明を実施するための最良の形態】
【００１０】
図１は、本発明のコンピュータ装置１の構成を示している。コンピュータ装置１は、本発明のモジュラー転送インターフェイスを備え、本発明のアダプタボードも備えているので、本発明のモジュラー転送インターフェイス及びアダプタボードに関しては、本発明のコンピュータ装置と共に以下の通りに説明する。
【００１１】
図１に示すように、本発明のコンピュータ装置１は、ケース２１と、ケース本体２１１内に取り付けられているマザーボード２２と、電源供給手段２３と、ハードディスク２４と、光ディスクドライブ２５と、モジュラー転送インターフェイス３とを備えている。
【００１２】
ケース２１は、ケース本体２１１及び天板２１２からなり、それらの正面には互いに対応しあい、天板２１２がケース本体２１１に取り付けられると光ディスクドライブ２５のディスクを取替えるために必要な開口を構成する（ケース本体２１１に形成された）第１の凹み部２１１Ａと（天板２１２に形成された）第２の凹み部２１２Ａが形成されている。
【００１３】
コンピュータ装置１は、小型化を図るため、外付け式の電源供給手段２３を採用し、電源ケーブルでマザーボード２２にある電源ポート２２１と繋いでいる。ちなみに、コンピュータ装置１の各パーツを駆動するための電力は、すべて電源ポート２２１を通じて電源供給手段２３によって供給される。
【００１４】
電源ポート２２１以外、マザーボード２２は、サウスブリッジ２２２を有している。無論、ノースブリッジ（図示せず）やプロセッサ（図示せず）、メモリ（図示せず）など必要なパーツもマザーボード２２に備えられているが、本発明と直接の関係がないので、その説明を省略する。
【００１５】
本実施の形態のコンピュータ装置１におけるモジュラー転送インターフェイス３は、マザーボード２２に設けられているスロットコネクタ３１とアダプタボード３２とを備えている。図２は、スロットコネクタ３１のマザーボード２２における構成関係を示しているブロック図である。図２を図１と併せて参照してみると、スロットコネクタ３１は、サウスブリッジ２２２及び電源ポートの両方ともに電気的に接続している。
【００１６】
スロットコネクタ３１とサウスブリッジ２２２との間には、それぞれシリアルＡＴＡ規格及びＩＤＥ規格を準拠としたドライブ制御信号の転送を担当する２本の転送ライン２２２１、２２２２がある。
シリアルＡＴＡ規格及びＩＤＥ規格とは、ハードディスクや光ディスクドライブを制御するインターフェイスの規格であり、ＩＤＥ規格は、パラレルＡＴＡ（Ｐａｒａｌｌｅｌ Ａｄｖａｎｃｅｄ Ｔｅｃｈｎｏｌｏｇｙ Ａｔｔａｃｈｍｅｎｔ）規格とも呼ばれている。ハードディスクについては、シリアルＡＴＡ規格を採用するものとＩＤＥ規格を採用するものという二種類のものが見られるが、光ディスクドライブは、通常ＩＤＥ規格のインターフェイスを採用している。従って、サウスブリッジ２２２は、同一のスロットコネクタ３１を介して、シリアルＡＴＡ規格のハードディスク２４及びＩＤＥ規格の光ディスクドライブ２５を同時制御できる。
【００１７】
また、本発明のスロットコネクタ３１は、電源ポート２２１とも電気的に接続しているので、電源供給手段２３から電源コードを引かなくてもハードディスク２４や光ディスクドライブ２５に必要な電力を供給できるが、この実施の形態では制御信号及び電力の転送が同一のコネクタを介して行うハードディスク２４や光ディスクドライブ２５に対応する構成になっており、制御信号及び電力の転送が別のコネクタを介するハードディスク２４や光ディスクドライブ２５を用いる場合、制御信号用と電力転送用のコネクタとに分けて設置すれば簡単に対応できるようになる。
【００１８】
図３は、本発明のアダプタの構成及びスロットコネクタ３１との接続を示す側面図である。図１と併せて参照してみると、アダプタボード３２は、ボード体３２１に、スロットコネクタ３１と接続できるメイティングコネクタ３２２と、メイティングコネクタ３２２に電気的に接続していて光ディスクドライブに接続できる光ディスクドライブコネクタ３２４と、メイティングコネクタ３２２に電気的に接続していてハードディスクと接続できるハードディスクコネクタ３２３とを設けてなるものである。
【００１９】
ボード体３２１は、矩形のプリント回路板であり、その底部から下方へ延伸し、且つスロットコネクタ３１に挿入できるように構成されているタブ３２１１を有し、メイティングコネクタ３２２は、ボード体３２１の底部にあるタブ３２１１の表面に並列配置されている複数の導電性部材３２２１を有している。この複数の導電性部材３２２１は、雄端子としてタブ３２１１と共にスロットコネクタ３１内に挿入することができる。そして、スロットコネクタ３１のスロット内にも該雄端子に対応している雌端子が配置されている。
【００２０】
より詳しく説明すると、この実施例において、ハードディスクコネクタ３２３は、シリアルＡＴＡ規格のコネクタであり、図４に示すように、多数の導電性部材が並列配置されている。
また、この実施例において、光ディスクドライブコネクタ３２４は、ＩＤＥ規格のコネクタであり、図５に示すように、多数の導電性部材が並列配置されている。
そして、タブ３２１１の表面にあるメイティングコネクタ３２２の複数の導電性部材３２２１は、図６に示すように並列配置され、ハードディスクコネクタ３２３及び光ディスクドライブコネクタ３２４両方とも電気的に接続していると同時に、雄端子としてスロットコネクタ３１のスロット内に挿入して接続することができる。
また、スロットコネクタ３１のスロット内にある複数の導電性部材も、図７に示すように、メイティングコネクタ３２２の複数の導電性部材３２２１に対応して配置され、雌端子としてメイティングコネクタ３２２と電気的に接続できる。サウスブリッジ２２２は、これらのコネクタにおける端子の配置及び対応に通じて、ハードディスク２４及び光ディスクドライブ２５を制御できるようになる。
【００２１】
また、図３に戻ってみると、タブ３２１１の両側にはサポータ３２１２、３２１２が配置されている。サポータ３２１２、３２１２は、タブ３２１１のスロットコネクタ３１への挿入を補助するものであり、タブ３２１１の表面にある雄端子（複数の導電性部材３２２１）が完全にスロットコネクタ３１のスロット内に挿入しているとき、スロットコネクタ３１の両端を挟むように配置され、そしてマザーボード２２の表面に当接するような長さまでに延伸する。
【００２２】
本発明を組み立てるとき、まずは図１に示すように、ハードディスク２４及び光ディスクドライブ２５それぞれの背面にあるコネクタ２４１、２５１をハードディスクコネクタ３２３及び光ディスクドライブコネクタ３２４と接続させて、アダプタボード３２への取り付けが完成する。
続いて、図８に示すように、アダプタボード３２が接続されているハードディスク２４及び光ディスクドライブ２５をケース２１内に取り付けると共に、アダプタボード３２のタブ３２１１（メイティングコネクタ３２２）をスロットコネクタ３１のスロット内に挿入させて、マザーボード２２への取り付けを同時に完成する。
このように、ケース内にて取り付け作業を行う必要がなくなるので、組み立てや修理をするときもより便利になっている。
【００２３】
ちなみに、光ディスクドライブ２５は、正面に光ディスクの出入り口があるためケース２１外に露出しているが、その露出の開口を構成するケース本体２１１の正面に形成されている第１の凹み部２１１Ａは、光ディスクドライブ２５の正面側に支持を提供する役割も果たしている。
そして、光ディスクドライブ２５の背面側のコネクタ接続は、光ディスクドライブ２５の背面側に支持を提供する役割も果たしているので、光ディスクドライブ２５は、このように前後同時に支持されながら、天板２１２の近くに配置されるので、ほかのパーツの配置を妨げることなく、ケース２１内の空間を効率よく利用することができる。
【００２４】
最後に、ＩＤＥ規格の接続方式は、同時に２台のハードディスクまたは光ディスクドライブを制御できるので、図９に示すように、本発明のアダプタボード３２ａは、ＩＤＥ規格のハードディスクコネクタを採用してＩＤＥ規格のハードディスク及びＩＤＥ規格の光ディスクドライブを同時に接続することもできる。この場合、ハードディスクコネクタ３２３ａ及び光ディスクドライブコネクタ３２３ａは、同時にＩＤＥ規格のドライブ制御信号の転送を担当している転送ライン２２２と電気的に接続する必要があるため、ハードディスクコネクタ３２３ａ及び光ディスクドライブコネクタ３２３ａの端子は、メイティングコネクタ３２２ａにおけるＩＤＥ規格のドライブ制御信号を転送する端子と同時に電気的に接続する。
【００２５】
また、本発明のコンピュータ装置１において、予め図３及び図９に示す二種類のアダプタボード３２、３２ａを製造し添付しておけば、シリアスＡＴＡ規格かＩＤＥ規格かのハードディスクを自由に選択できるようになる。
【産業上の利用可能性】
【００２６】
上記構成によれば、本発明はフラットケーブルを使用せずに、ケース内に取り付け作業をしなくても、ボード体であるアダプタボードを利用してハードディスク及び光ディスクドライブをケース内に取り付けると同時にマザーボードとの接続を達成できるので、取り付けや取り外し作業のために空間を残す必要がなく、コンピュータ装置のケース内の空間を有効に利用できる上、組み立て及び修理もより簡単に行うことができ、小型化とパーツ取り付けの利便性の両方を達成することができる。
【図面の簡単な説明】
【００２７】
【図１】本発明のコンピュータ装置１の構成を示す分解立体図である。
【図２】スロットコネクタ３１のマザーボード２２における構成関係を示しているブロック図である。
【図３】本発明のアダプタの構成及びスロットコネクタとの接続を示す側面図である。
【図４】ハードディスクコネクタの構成を示す図である。
【図５】光ディスクドライブコネクタの構成を示す図である。
【図６】メイティングコネクタの構成を示す図である。
【図７】スロットコネクタの構成を示す図である。
【図８】本発明のアダプタとハードディスク、光ディスクドライブ、マザーボードとの接続方法を示す説明図である。
【図９】本発明のアダプタのもう一つの構成例を示す側面図である。
【図１０】従来のコンピュータ装置のハードディスク及び光ディスクドライブとの接続方法を示す説明図である。
【符号の説明】
【００２８】
１．．．コンピュータ装置
２１１．．．ケース本体
２１１Ａ．．．第１の凹み部
２１１Ｂ．．．第２の凹み部
２１２．．．天板
２２．．．マザーボード
２２１．．．電源ポート
２２２．．．サウスブリッジ
２２２１、２２２２．．．転送ライン
２３．．．電源供給手段
２４．．．ハードディスク
２４１．．．ハードディスクのコネクタ
２５．．．光ディスクドライブ
２５１．．．光ディスクドライブのコネクタ
３．．．モジュラー転送インターフェイス
３１．．．スロットコネクタ
３２、３２ａ．．．アダプタボード
３２１．．．ボード体
３２１１．．．タブ
３２１２．．．サポータ
３２２、３２２ａ．．．メイティングコネクタ
３２２１．．．導電性部材
３２３、３２３ａ．．．ハードディスクコネクタ
３２４、３２４ａ．．．光ディスクドライブコネクタ
【図１】
2007280353.tif 000003
【図２】
2007280353.tif 000004
【図３】
2007280353.tif 000005
【図４】
2007280353.tif 000006
【図５】
2007280353.tif 000007
【図６】
2007280353.tif 000008
【図７】
2007280353.tif 000009
【図８】
2007280353.tif 000010
【図９】
2007280353.tif 000011
【図１０】
2007280353.tif 000012